(57)【要約】  無線通信装置内で発振器信号を生成する技法を説明する。位相同期ループ（ＰＬＬ）を使用して選択された周波数チャネルの発振器信号を生成することができる。異なるＰＬＬ設定を周波数チャネルのＰＬＬ内のブロックに使用することができる。異なるＰＬＬ設定は、異なるＰＬＬループ帯域幅、チャージポンプ電流の異なる量、高分周比および低分周比の異なるセットに関連する異なる周波数方程式、異なるプリスケーラ比および／または異なる整数分周比に関連する異なる分周方式、スーパーヘテロダイン受信機または送信機の高側注入または低側注入、ならびに／あるいは発振器などの１つまたは複数の回路ブロックに対する異なる供給電圧に対するものとすることができる。ＰＬＬ設定の適切なセットを、シュプールに起因する悪影響を軽減できるように周波数チャネル毎に選択することができる。
2010539809.tif 000002
【特許請求の範囲】
【請求項１】
複数の周波数チャネルの中から選択される周波数チャネルの発振器信号を生成するのに使用され、各周波数チャネルが全体的分周比に加えて少なくとも１つのパラメータに対するＰＬＬ設定のセットに関連付けられ、前記複数の周波数チャネルがＰＬＬ設定の少なくとも２つの異なるセットに関連付けられ、前記ＰＬＬが前記選択された周波数チャネルに対するＰＬＬ設定の前記セットに基づいて動作する位相同期ループ（ＰＬＬ）
を具備する無線通信装置。
【請求項２】
前記選択された周波数チャネルに対するＰＬＬ設定の前記セットは、複数のＰＬＬループ帯域幅のうちの１つを選択する設定を含む、請求項１に記載の装置。
【請求項３】
前記ＰＬＬがチャージポンプを含み、前記選択された周波数チャネルに対するＰＬＬ設定の前記セットは、チャージポンプ電流の複数の異なる量のうちの１つを選択する設定を含む、請求項１に記載の装置。
【請求項４】
前記選択された周波数チャネルに対するＰＬＬ設定の前記セットは、前記発振器信号を分周するために複数の周波数方程式のうちの１つを選択する分周器設定を含む、請求項１に記載の装置。
【請求項５】
前記複数の周波数方程式は、高分周比および低分周比の異なるセットに関連付けられ、前記分周器設定は、前記発振器信号を周波数において分割するための高分周比および低分周比の特定のセットを示す、請求項４に記載の装置。
【請求項６】
前記選択された周波数チャネルに対するＰＬＬ設定の前記セットは、前記発振器信号を周波数において分割する複数の分周方式のうちの１つを選択する分周設定を含む、請求項１に記載の装置。
【請求項７】
前記複数の分周方式は、異なるプリスケーラ比に関連付けられ、前記分周設定は、前記発振器信号を周波数において分割するための特定のプリスケーラ比を示す、請求項６に記載の装置。
【請求項８】
前記複数の分周方式は、異なる整数分周比に関連付けられ、前記分周設定は、前記発振器信号を周波数において分割するための特定の整数分周比を示す、請求項６に記載の装置。
【請求項９】
前記選択された周波数チャネルに対するＰＬＬ設定の前記セットは、前記発振器信号に基づいて生成される局部発振器（ＬＯ）信号の高側注入または低側注入のいずれかを選択する設定を含み、前記ＬＯ信号は高側注入の場合に前記選択された周波数チャネルより高い周波数を有し、低側注入の場合に前記選択された周波数チャネルより低い周波数を有する、請求項１に記載の装置。
【請求項１０】
前記選択された周波数チャネルに対するＰＬＬ設定の前記セットは、前記発振器信号を生成するのに使用される発振器の複数のバイアス方式のうちの１つを選択する設定を含み、前記複数のバイアス方式は、前記発振器の異なる供給電圧または異なるバイアス電流、あるいはその両方に対応する、請求項１に記載の装置。
【請求項１１】
前記複数の周波数チャネルに対するＰＬＬ設定のテーブルを格納するメモリ
をさらに具備する請求項１に記載の装置。
【請求項１２】
前記複数の周波数チャネルは、複数の符号分割多元接続（ＣＤＭＡ）チャネルおよび複数のグローバル・システム・フォー・モバイル・コミュニケーションズ（ＧＳＭ）チャネルのうちの少なくとも１つを含む、請求項１に記載の装置。
【請求項１３】
基準信号およびフィードバック信号を受信し、前記基準信号と前記フィードバック信号との間の位相差を示す検出器信号を供給する位相−周波数検出器と、
前記検出器信号に基づいて誤差信号を生成するチャージポンプと、
前記誤差信号をフィルタリングし、発振器の制御信号を供給するループフィルタと、
前記発振器から発振器信号を受け取り、前記発振器信号を分周して前記フィードバック信号を供給する分周器と、を具備し、前記位相周波数検出器、前記チャージポンプ、前記ループフィルタおよび前記分周器のうちの少なくとも１つは、全体的分周比以外のパラメータに対する複数の設定を有し、該複数の設定は複数の周波数チャネルのそれぞれに対して選択可能である集積回路。
【請求項１４】
前記分周器は、前記発振器信号を分周するのに使用される高分周比および低分周比の異なるセットの複数の設定を有する分数Ｎ分周器を含む、請求項１３に記載の集積回路。
【請求項１５】
前記分周器は、複数のプリスケーラに対する複数の設定を有し、前記複数のプリスケーラのうちの１つが前記発振器信号を分周するために周波数チャネル毎に選択される、請求項１３に記載の集積回路。
【請求項１６】
前記分周器は、前記発振器信号を分周するのに使用される異なる整数分周比に対する複数の設定を有する整数分周器を含む、請求項１３に記載の集積回路。
【請求項１７】
前記チャージポンプは、チャージポンプ電流の異なる量に対する複数の設定を有する、請求項１３に記載の集積回路。
【請求項１８】
各周波数チャネルが全体的分周比に加えて少なくとも１つのパラメータに対する位相同期ループ（ＰＬＬ）設定のセットに関連付けられ、ＰＬＬ設定の少なくとも２つの異なるセットに関連付けられた複数の周波数チャネルの中から周波数チャネルを選択することと、
前記選択された周波数チャネルに対するＰＬＬ設定のセットを判定することと、
ＰＬＬ設定の前記セットに基づいて、前記選択された周波数チャネルの発振器信号を生成することと、
を含む方法。
【請求項１９】
前記選択された周波数チャネルに対するＰＬＬ設定の前記セットは、高分周比および低分周比の複数のセットのうちの１つを選択する設定を含み、前記選択された周波数チャネルの前記発振器信号の前記生成は、
前記選択された周波数チャネルに対する高分周比および低分周比のセットを用いて分周器をプログラムすることと、
高分周比および低分周比の前記セットに基づいて前記発振器信号を分周することと、
を含む、請求項１８に記載の方法。
【請求項２０】
前記選択された周波数チャネルに対するＰＬＬ設定の前記セットは、複数のプリスケーラ比のうちの１つを選択する設定を含み、前記選択された周波数チャネルに対する前記発振器信号の前記生成は、前記選択された周波数チャネルのプリスケーラ比に基づいて前記発振器信号を分周することを含む、請求項１８に記載の方法。
【請求項２１】
前記選択された周波数チャネルに対するＰＬＬ設定の前記セットは、高側注入または低側注入のいずれかを選択する設定を含み、前記選択された周波数チャネルの前記発振器信号の前記生成は、
高側注入が前記選択された周波数チャネルについて選択される場合に、前記選択された周波数チャネルより高い周波数を有する局部発振器（ＬＯ）信号を得るために前記発振器信号を生成することと、
低側注入が選択される場合に、前記選択された周波数チャネルより低い周波数を有するＬＯ信号を得るために前記発振器信号を生成することと、
を含む、請求項１８に記載の方法。
【請求項２２】
前記選択された周波数チャネルに対するＰＬＬ設定の前記セットは、チャージポンプ電流の複数の異なる量のうちの１つを選択する設定を含み、前記選択された周波数チャネルの前記発振器信号の前記生成は、前記選択された周波数チャネルのチャージポンプ電流の量に基づいて発振器の制御信号を生成することを含み、前記発振器が前記発振器信号を生成する、請求項１８に記載の方法。
【請求項２３】
前記選択された周波数チャネルに対するＰＬＬ設定の前記セットは、前記発振器信号を生成するのに使用される発振器の複数の供給電圧のうちの１つを選択する設定を含み、
前記選択された周波数チャネルについて選択された供給電圧を前記発振器に印加すること、
をさらに具備する請求項１８に記載の方法。
【請求項２４】
各周波数チャネルが全体的分周比に加えて少なくとも１つのパラメータに対する位相同期ループ（ＰＬＬ）設定のセットに関連付けられ、ＰＬＬ設定の少なくとも２つの異なるセットに関連付けられた複数の周波数チャネルの中から周波数チャネルを選択する手段と、
前記選択された周波数チャネルに対するＰＬＬ設定のセットを判定する手段と、
ＰＬＬ設定の前記セットに基づいて、前記選択された周波数チャネルの発振器信号を生成する手段と、
を具備する無線通信装置。
【請求項２５】
複数の周波数チャネルの中から選択される周波数チャネルを決定し、前記選択された周波数チャネルに対するトランシーバ設定のセットを決定し、前記選択された周波数チャネルに対するトランシーバ設定の前記セットを送信機または受信機に適用するように構成され、各周波数チャネルが全体的分周比に加えて前記送信機または受信機内の少なくとも１つのパラメータのトランシーバ設定のセットに関連付けられ、前記複数の周波数チャネルがトランシーバ設定の少なくとも２つの異なるセットに関連付けられたコントローラ
を具備する無線通信装置。
【発明の詳細な説明】
【技術分野】
【０００１】
本願は、本願の譲受人に譲渡され、参照によって本明細書に組み込まれている、２００７年９月１４日に出願した米国特許仮出願第６０／９７２，７２１号、名称”LO SIGNAL GENERATION WITH SPUR MITIGATION IN A WIRELESS COMMUNICATION DEVICE”、および本願の譲受人に譲渡され、参照によって本明細書に組み込まれている、２００７年９月２８日に出願した米国特許仮出願第６０／９７６，２８５号、名称”LO SIGNAL GENERATION WITH SPUR MITIGATION IN A WIRELESS COMMUNICATION DEVICE”の優先権を主張するものである。
【０００２】
本開示は、全般的には電子技術に関し、より具体的には無線通信装置において発振器信号を生成する技法に関する。
【背景技術】
【０００３】
無線通信装置（例えば、携帯電話機）は、無線通信システムとの両方向無線通信をサポートするために、送信機および受信機を有することができる。送信機は、データ送信のために１つまたは複数の送信局部発振器（ＬＯ）信号を用いて出力ベースバンド信号をアップコンバートし、アップコンバートされた信号を得ることができる。送信機は、さらにアップコンバートされた信号をフィルタリングし、増幅して出力ラジオ周波数（ＲＦ）信号を得ることができ、その後この信号を無線チャネルを介して無線システム内の基地局に送信することができる。受信機は、データ受信のために基地局から信号を受信し、受信ＲＦ信号を得ることができる。受信機は、受信ＲＦ信号を増幅し、フィルタリングし、１つまたは複数の受信ＬＯ信号を用いてダウンコンバートして、入力ベースバンド信号を得ることができる。ＬＯ信号は、無線装置内の発振器によって生成できる発振器信号に基づいて生成され得る。
【０００４】
無線装置は通常、送信機および受信機内のアナログ信号を調整するために種々のアナログ回路を含む。アナログ回路は増幅器、ミキサ、フィルタ、位相同期ループ（ＰＬＬ）、ＬＯ発生器などを含むことができる。アナログ回路は、低い信号レベルを有するアナログ信号を操作することができる。従って、アナログ回路は信号品質を保ち、よい性能を達成するために、できる限り少ない雑音にさらされなければならない。
【０００５】
無線装置は通常、送信されかつ／または受信されるデータをディジタル処理するためにディジタル回路網をも含む。ディジタル回路網は、クロックに基づいて動作することのできるプロセッサ、メモリ、コントローラなどを含むことができる。ディジタル回路は通常、大きい信号振幅を有し、シュプール（spur）を含む大量のディジタル雑音を生成する。シュプールは、特定の周波数またはトーンの非所望信号であり、無線装置内で生成される。シュプールは、クロックによってクロックと発振器信号との混合によってなどで生成され得る。ディジタル回路からのシュプールは、ディジタル回路の大きく鋭い信号振幅のゆえに、高いレベルを有する場合がある。
【０００６】
ディジタル回路からのシュプールは、種々の形でアナログ回路の性能を劣化させる場合がある。第１に、アナログ回路による周波数変換用のＬＯ信号を生成するのに使用される発振器信号がシュプールを含む場合があり、このシュプールが受信または送信される所望信号を劣化させる場合がある。第２に、シュプールが帯域外信号成分と混合され、所望信号の信号対雑音比（ＳＮＲ）を劣化させ得る帯域内雑音を生成する場合がある。第３に、アナログ回路およびディジタル回路が同一の集積回路（ＩＣ）に集積化される時の基板またはパッケージ結合路に起因して、シュプールが関心周波数帯で受信機入力および／または送信機出力に現れ、これによって所望信号のＳＮＲを劣化させる場合がある。
【０００７】
シュプールに起因する悪影響を軽減するために、アナログ回路をディジタル回路から分離し、これによってディジタル回路からアナログ回路へのシュプールの結合を減らすことができる。この分離は、(i)別々のプリント回路基板または１つのプリント回路基板の別々のセクションでアナログ回路およびディジタル回路を実装すること、または(ii)アナログ回路を１つまたは複数のアナログ集積回路（ＩＣ）ダイで実装し、ディジタル回路を１つまたは複数のディジタルＩＣダイで実装することによって達成することができる。しかし、設計ツールの制限に起因して、所望の量の分離を達成することまたは達成できる分離の量を予測することすら、難しい場合がある。さらに、サイズおよびコストを減らすために、アナログ回路およびディジタル回路を一体化（例えば、同一のＩＣダイ上で）することが望ましい場合がある。従って、シュプールの悪影響を軽減できる技法が非常に望まれる。
【発明の概要】
【０００８】
シュプールの有害な影響を軽減するために、不均一周波数プログラミングを用いて無線通信装置において発振器信号を生成する技法を本明細書で説明する。選択された周波数チャネルの発振器信号を生成するのに、ＰＬＬを使用することができる。ＰＬＬは、位相周波数検出器、チャージポンプ、ループフィルタおよび分周器を含むことができる。不均一周波数プログラミングを用いると、異なるＰＬＬ設定（setting）を異なる周波数チャネル用のＰＬＬ内の種々のブロックについて使用することができる。一般に、ＰＬＬ設定は発振器信号の生成に影響する幾つかのパラメータに対するものとすることができる。設定シュプールの悪影響を軽減でき、周波数チャネルに対してよい性能を達成できるようにＰＬＬ設定の適切なセットを周波数チャネル毎に選択することができる。
【０００９】
１つの態様では、異なるＰＬＬループ帯域幅をサポートすることができ、適切なＰＬＬループ帯域幅を周波数チャネル毎に選択することができる。シュプールがループ帯域幅の外にある時に、シュプールを減衰させるために、狭いループ帯域幅を選択することができる。ループ帯域幅の外のシュプールが問題のある周波数に存在しない時に、発振器などの非スプリアス雑音源をよりよく抑制するために、より広いループ帯域幅を使用することができる。ループ帯域幅は、例えばチャージポンプ電流の量を調整することによって、変更することができる。
【００１０】
他の態様では、異なる周波数方程式をサポートすることができ、適切な周波数方程式を周波数チャネル毎に選択することができる。分数Ｎ分周器（fractional-N divider）内で高い分周比および低い分周比の異なるセットに、異なる周波数方程式を関連付けることができる。異なるシュプールおよび／または異なるシュプールレベルが異なる周波数方程式について存在する場合がある。シュプールに関してよい性能を有する周波数方程式を周波数チャネル毎に選択することができる。
【００１１】
さらなる他の態様では、異なる分周方式（frequency division scheme）をサポートすることができ、適切な分周方式を周波数チャネル毎に選択することができる。異なる分周方式を異なるプリスケーラ比および／または異なる整数分周比に関連付けることができる。異なるシュプールおよび／または異なるシュプールレベルが異なる分周方式について存在する場合がある。シュプールに関してよい性能を有する分周方式を周波数チャネル毎に選択することができる。
【００１２】
さらなる他の態様では、高側（high side）または低側（low side）のいずれかの注入をスーパーヘテロダイン受信機またはスーパーヘテロダイン送信機内で周波数チャネルについて選択することができる。ＬＯ信号は、高側注入の場合には選択された周波数チャネルより高い周波数にあり、低側注入の場合には選択された周波数チャネルより低い周波数にある。高側および低側の注入を異なるシュプールおよび／または異なるシュプールレベルに関連付けることができる。高側および低側の注入をシュプールに関する性能に基づいて選択することができる。
【００１３】
さらなる他の態様では、所定の回路ブロックについて異なる供給電圧をサポートすることができ、回路ブロックについて周波数チャネル毎に適切な供給電圧を選択することができる。１つの設計では、異なる供給電圧を発振器に使用することができる。発振器信号振幅を増やすのに高い供給電圧を使用することができ、これはシュプールに起因する悪影響を減らすことができる。大きいシュプールが存在しない時に電力を節約するために、低い供給電圧を使用することができる。
【００１４】
異なるＰＬＬ設定は、他のパラメータに対するものとすることもできる。本開示の種々の態様および特徴を下でさらに詳細に説明する。
【図面の簡単な説明】
【００１５】
【図１】異なるシステムをサポートする無線通信装置を示す図。
【図２】無線装置を示すブロック図。
【図３】ダイレクトコンバージョン受信機を示すブロック図。
【図４】スーパーヘテロダイン受信機を示すブロック図。
【図５】ダイレクトコンバージョン送信機を示すブロック図。
【図６】スーパーヘテロダイン送信機を示すブロック図。
【図７】周波数シンセサイザ内のＰＬＬを示すブロック図。
【図８】ＰＬＬ内の分周器の設計を示すブロック図。
【図９】ＰＬＬ内の分周器のもう１つの設計を示すブロック図。
【図１０】異なる周波数チャネルに対するＰＬＬ設定のテーブルを示す図。
【図１１】ある周波数チャネルの発振器信号を生成するプロセスを示す図。
【発明を実施するための形態】
【００１６】
図１に、異なる無線通信システムおよびネットワークと通信することのできる無線通信装置１１０を示す。用語「システム」および「ネットワーク」は、しばしば交換可能に使用される。図１に示された例では、無線通信装置１１０は無線広域ネットワーク（ＷＷＡＮ）１２０、無線ローカルエリアネットワーク（ＷＬＡＮ）１３０、無線パーソナルエリアネットワーク（ＷＰＡＮ）１４０、衛星測位システム（ＳＰＳ）１５０およびブロードキャストシステム１６０と通信可能とすることができる。一般に、無線装置１１０は、１つまたは複数のシステムおよびネットワークの任意の個数、任意のタイプおよび任意の組合せの１つまたは複数のシステムおよびネットワークと通信可能とすることができる。
【００１７】
ＷＷＡＮ １２０は、都市、州または国全体などの大きい地理的区域の通信カバレッジを提供する。ＷＷＡＮ １２０は、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリアＦＤＭＡ（ＳＣ−ＦＤＭＡ）ネットワークなどとすることができる。ＣＤＭＡネットワークは、ｃｄｍａ２０００、Universal Terrestrial Radio Access（ＵＴＲＡ）、その他などの無線テクノロジを実装することができる。ｃｄｍａ２０００は、ＩＳ−２０００標準規格、ＩＳ−９５標準規格、およびＩＳ−８５６標準規格を包含する。ＵＴＲＡは、ワイドバンドＣＤＭＡ（Ｗ−ＣＤＭＡ）およびＣＤＭＡの他の変形を含む。ＴＤＭＡネットワークは、Global System for Mobile Communications（ＧＳＭ）、Digital Advanced Mobile Phone System（Ｄ−ＡＭＰＳ）、その他などの無線テクノロジを実装することができる。ＯＦＤＭＡシステムは、Evolved UTRA（Ｅ−ＵＴＲＡ）、Ultra Mobile Broadband（ＵＭＢ）、IEEE 802.16（ＷｉＭＡＸ）、IEEE 802.20、Ｆｌａｓｈ−ＯＦＤＭ（登録商標）、その他などの無線テクノロジを実装することができる。ＵＴＲＡおよびＥ−ＵＴＲＡは、Universal Mobile Telecommunication System（ＵＭＴＳ）の一部である。3GPP Long Term Evolution（ＬＴＥ）は、Ｅ−ＵＴＲＡを使用するＵＭＴＳの来るべきリリースである。これらの種々のネットワーク、無線テクノロジおよび標準規格は、当技術分野で既知である。
【００１８】
ＷＬＡＮ １３０は建物、家庭、その他などの中間的地理的区域の通信カバレッジを提供する。ＷＬＡＮ １３０は、IEEE 802.11ファミリの標準規格、ハイパーランその他などの無線テクノロジを実装することができる。ＷＰＡＮ １４０は、小さい地理的区域の通信カバレッジを提供する。ＷＰＡＮ １４０は、IEEE 802.15標準規格として採用された短距離無線テクノロジであるBluetooth（登録商標）を実装することができる。
【００１９】
衛星測位システム１５０は、米国の全地球測位システム（ＧＰＳ）、ロシアのＧＬＯＮＡＳＳシステム、欧州のガリレオシステム、またはある他の衛星測位システムとすることができる。ＧＰＳは、地球を周回する２４個の十分に間隔をおいた衛星といくつかの予備衛星とのコンステレーションである。各ＧＰＳ衛星は、地球上の受信機が十分な個数の衛星（通常は４つ）の測定値およびこれらの衛星の既知の位置に基づいてその受信機の位置を正確に推定することを可能にする符号化された信号を送信する。ブロードキャストシステム１６０は、メディアフロー（mediaFLO）システム、Digital Video Broadcasting for Handhelds（ＤＶＢ−Ｈ）システム、Integrated Services Digital Broadcasting for Terrestrial Television Broadcasting（ＩＳＤＢ−Ｔ）システム、Digital Multimedia Broadcasting（ＤＭＢ）システム、またはある他のブロードキャストシステムとすることができる。
【００２０】
無線装置１１０は、固定または可搬であり、移動局、ユーザ機器、端末、ステーション、加入者ユニットなどと呼ばれる。無線装置１１０は、携帯電話機、携帯情報端末（ＰＤＡ）、無線モデム、ハンドヘルド機器、ラップトップコンピュータ、コードレス電話機などであり得る。図１に示されているように、無線装置１１０はＷＷＡＮ １２０内の基地局１２２、ＷＬＡＮ １３０内のアクセスポイント１３２、および／またはＷＰＡＮ １４０内のヘッドセット１４２と任意の所定の瞬間に両方向で通信することができる。無線装置１１０は、ＳＰＳ １５０内の衛星１５２および／またはブロードキャストシステム１６０内のブロードキャストステーション１６２から任意の所定の瞬間に信号を受信することもできる。無線装置１１０は、各システムによって使用される無線テクノロジに基づいてシステム毎に受信信号を処理し、かつ／または送信信号を生成することができる。
【００２１】
図２に、無線装置１１０の設計のブロック図を示す。この設計では、無線装置１１０はＷＷＡＮ １２０用の受信機２２０ａおよび送信機２３０ａ、ＷＬＡＮ １３０用の受信機２２０ｂおよび送信機２３０ｂ、ＷＰＡＮ １４０用の受信機２２０ｃおよび送信機２３０ｃ、ＳＰＳ １５０用の受信機２２０ｄおよびブロードキャストシステム１６０用の受信機２２０ｅを有するトランシーバ２１４を含む。各受信機２２０は、関連するシステムの受信信号を処理し、入力ベースバンド信号をディジタルプロセッサ２５０に供給することができる。各送信機２３０は、ディジタルプロセッサ２５０から出力ベースバンド信号を受け取り、関連するシステム用の送信信号を生成することができる。アンテナスイッチモジュール２１２は、受信機２２０ａ乃至２２０ｅおよび送信機２３０ａ乃至２３０ｃをアンテナ２１０ａおよび２１０ｂに結合する。モジュール２１２は、アンテナ２１０から受信機２２０に受信信号をルーティングし、送信機２３０からアンテナ２１０に送信信号を送るために、１つまたは複数のスイッチ、デュプレクサ、ダイプレクサなどを含むことができる。一般に、無線装置１１０は任意の個数のシステムおよび周波数帯用の任意の個数のアンテナ、任意の個数の受信機および任意の個数の送信機を含むことができる。
【００２２】
ディジタルプロセッサ２５０は、データ送信およびデータ受信ならびに他の機能のための種々の処理ユニットを含むことができる。例えば、ディジタルプロセッサ２５０は１つまたは複数のディジタル信号プロセッサ（ＤＳＰ）、縮小命令セットコンピュータ（ＲＩＳＣ）プロセッサ、中央制御装置（ＣＰＵ）などを含むことができる。コントローラ／プロセッサ２６０は、無線装置１１０における動作を制御することができる。メモリ２６２は、無線装置１１０用のプログラムコードおよびデータを格納することができる。ディジタルプロセッサ２５０、コントローラ／プロセッサ２６０および／またはメモリ２６２を１つまたは複数の特定用途向け集積回路（ＡＳＩＣ）および／または他のＩＣ上で実装することができる。
【００２３】
基準発振器２６８は、比較的正確なｆrefの周波数を有する基準信号を生成する。発振器２６８は、水晶発振器（ＸＯ）、電圧制御水晶発振器（ＶＣＸＯ）、温度補償水晶発振器（ＴＣＸＯ）、電圧制御ＴＣＸＯ（ＶＣ−ＴＣＸＯ）、またはある他のタイプの発振器とすることができる。周波数シンセサイザ２７０は、基準信号を受け取って発振器信号を生成する。ＬＯ発生器２７２は、周波数シンセサイザ２７０から発振器信号を受け取り、受信機２２０および送信機２３０用のＬＯ信号を生成する。周波数シンセサイザ２７０は、任意の個数のＰＬＬを含み、任意の個数の発振器信号を生成することができる。クロック発生器２７４も、基準信号を受け取ってディジタルプロセッサ２５０、コントローラ／プロセッサ２６０およびメモリ２６２用のクロックを生成する。受信機２２０ａ乃至２２０ｅ、送信機２３０ａ乃至２３０ｃ、発振器２６８、周波数シンセサイザ２７０および／または、ＬＯ発生器２７２の全てまたは一部を１つまたは複数の無線周波数集積回路（ＲＦＩＣ）、混合信号ＩＣ、ＡＳＩＣなどで実装され得る。
【００２４】
一般に、送信機または受信機はスーパーヘテロダインアーキテクチャまたはダイレクトコンバージョンアーキテクチャを用いて実装され得る。スーパーヘテロダインアーキテクチャでは、信号は無線周波数（ＲＦ）とベースバンドとの間で複数のステージにおいて周波数変換され、例えば受信機についてはあるステージでＲＦから中間周波数（ＩＦ）へ、その後に別のステージでＩＦからベースバンドへと周波数変換される。ゼロＩＦ（ＺＩＦ）アーキテクチャとも呼ばれるダイレクトコンバージョンアーキテクチャでは、信号は１つのステージにおいてＲＦとベースバンドとの間で周波数変換される。スーパーヘテロダインアーキテクチャおよびダイレクトコンバージョンアーキテクチャは、異なる回路ブロックを使用する場合があり、かつ／または異なる要件を持つ場合がある。
【００２５】
各システムは、１つまたは複数の周波数帯内の１つまたは複数の周波数チャネルで動作することができる。周波数チャネルはＣＤＭＡチャネル、ＲＦチャネルなどと呼ばれることもある。ｃｄｍａ２０００については、各周波数チャネルは１．２３ＭＨｚの帯域幅および３０ＫＨｚラスタまたは増分で配置される中心周波数を有する。Ｗ−ＣＤＭＡについては、各周波数チャネルは３．８４ＭＨｚの帯域幅および２００ＫＨｚラスタで配置される中心周波数を有する。ＧＳＭについては、各周波数チャネルは２００ＫＨｚの帯域幅および２００ＫＨｚラスタで配置される中心周波数を有する。各周波数チャネルの中心周波数および帯域幅は、システムに依存するものとすることができる。
【００２６】
図３に、図２の受信機２２０ａ乃至２２０ｅのいずれか１つに使用することができるダイレクトコンバージョン受信機２２０ｘの設計のブロック図を示す。受信機２２０ｘ内では、低雑音増幅器（ＬＮＡ）３１０がアンテナスイッチモジュール２１２から受け取られた信号ＶＲＸを増幅し、増幅された信号を供給する。フィルタ３１２は、関心周波数帯の信号成分を通し、帯域外雑音および非所望信号を除去するために、増幅された信号をフィルタリングする。ミキサ３１４は、ＬＯ発生器２７２からのＬＯ信号ＶＲＸ＿ＬＯを用いて、フィルタリングされた信号を周波数ダウンコンバートし、ダウンコンバートされた信号を供給する。ＬＯ信号の周波数ｆＲＸ＿ＬＯは、選択された周波数チャネルの所望信号がベースバンドまたはベースバンドの近くにダウンコンバートされるように選択される。
【００２７】
可変利得増幅器（ＶＧＡ）３１６は、可変利得を用いてダウンコンバートされた信号を増幅し、所望の信号レベルを有する信号を供給する。ローパスフィルタ３１８は、選択された周波数チャネルの所望信号を通し、ダウンコンバージョンプロセスによって生成され得る雑音および非所望信号を除去するために、ＶＧＡ ３１６からの信号をフィルタリングする。増幅器（Ａｍｐ）３２０は、フィルタ３１８からの信号を増幅し、バッファリングして、ディジタルプロセッサ２５０に入力ベースバンド信号ＶＩＮを供給する。
【００２８】
図４に、やはり図２の受信機２２０ａ乃至２２０ｅのいずれか１つに使用できるスーパーヘテロダイン受信機２２０ｙの設計のブロック図を示す。受信機２２０ｙ内では、受信された信号ＶＲＸがＬＮＡ ４１０によって増幅され、フィルタ４１２によってフィルタリングされ、ミキサ４１４によってＬＯ発生器２７２からの第１ＬＯ信号ＶＲＸ＿ＬＯ１を用いてＲＦからＩＦにダウンコンバートされる。第１ＬＯ信号ＶＲＸ＿ＬＯ１の周波数は、選択された周波数チャネルの所望信号が特定のＩＦ周波数にダウンコンバートされるように選択され得る。
【００２９】
ミキサ４１４からのＩＦ信号は、ＶＧＡ ４１６によって増幅され、フィルタ４１８によってフィルタリングされ、ミキサ４２０によってＬＯ発生器２７２からの第２ＬＯ信号ＶＲＸ＿ＬＯ２を用いてＩＦからベースバンドまたはベースバンドの近くにダウンコンバートされる。第２ＬＯ信号の周波数ｆＲＸ＿ＬＯ２は、ＩＦ周波数に依存する。ミキサ４２０からのダウンコンバートされた信号は、フィルタ４２２によってフィルタリングされ、増幅器４２４によって増幅されて入力ベースバンド信号ＶＩＮが得られ、この入力ベースバンド信号ＶＩＮがディジタルプロセッサ２５０に供給される。
【００３０】
図５に、図２の送信機２３０ａ乃至２３０ｃのいずれか１つに使用できるダイレクトコンバージョン送信機２３０ｘの設計のブロック図を示す。送信機２３０ｘ内では、出力ベースバンド信号ＶＯＵＴが増幅器５１０によって増幅され、ディジタル−アナログ変換によって引き起こされるイメージを除去するためにローパスフィルタ５１２によってフィルタリングされ、ＶＧＡ ５１４によって増幅され、ミキサ５１６によってＬＯ発生器２７２からのＬＯ信号ＶＴＸ＿ＬＯを用いてベースバンドからＲＦにアップコンバートされる。アップコンバートされた信号は、周波数アップコンバージョンによって引き起こされるイメージを除去するためにバンドパスフィルタ５１８によってフィルタリングされ、さらに電力増幅器（ＰＡ）５２０によって増幅され、送信信号ＶＴＸが生成される。
【００３１】
図６に、図２の送信機２３０ａ乃至２３０ｃのいずれか１つに使用できるスーパーヘテロダイン送信機２３０ｙの設計のブロック図を示す。送信機２３０ｙ内では、出力ベースバンド信号ＶＯＵＴが増幅器６１０によって増幅され、ローパスフィルタ６１２によってフィルタリングされ、ＶＧＡ ６１４によって増幅され、ミキサ６１６によってＬＯ発生器２７２からの第１ＬＯ信号ＶＴＸ＿ＬＯ１を用いてベースバンドからＩＦにアップコンバートされる。ＩＦ信号は、フィルタ６１８によってフィルタリングされ、ＶＧＡ ６２０によって増幅され、ミキサ６２２によってＬＯ発生器２７２からの第２ＬＯ信号ＶＴＸ＿ＬＯ２を用いてＩＦからＲＦにアップコンバートされる。アップコンバートされた信号は、バンドパスフィルタ６２４によってフィルタリングされ、電力増幅器６２６によってさらに増幅され、送信信号ＶＴＸが生成される。
【００３２】
図３乃至図６は、いくつかの例の送信機および受信機の設計を示す。一般に、送信機または受信機での信号の調整は増幅器、フィルタ、ミキサなどの１つまたは複数のステージによって行うことができる。これらの回路ブロックは、図３乃至図６に示された構成とは異なるように配置され得る。さらに、図３内図６に示されていない他の回路ブロックが送信機および受信機で信号を調整するのに使用され得る。図３乃至図６のいくつかの回路ブロックを省略することもできる。例えば、図３および図４のフィルタ３１２および４１２を省略することができ、ＬＮＡの出力をミキサに直接に結合することができる。
【００３３】
図７に、図２の周波数シンセサイザ２７０に使用できる周波数シンセサイザ７００の設計のブロック図を示す。周波数シンセサイザ７００は、ＰＬＬ ７０２およびＶＣＯ ７４０を含む。ＶＣＯ ７４０は、ＰＬＬ ７０２内のループフィルタ７３０からの制御信号ＶＣＴＲＬによって決定されるｆＶＣＯの周波数を持つＶＣＯ信号を生成する。
【００３４】
ＰＬＬ ７０２内では、分周器７５０がＲｋの倍率でＶＣＯ信号を分周し、フィードバック信号を供給する。一般に、Ｒｋは整数または非整数値とすることができ、下で説明するように決定することができる。位相−周波数検出器（ＰＦＤ）７１０は、発振器２６８から基準信号を、分周器７５０からフィードバック信号を受け取る。検出器７１０は、これら２つの信号の位相を比較し、これら２つの信号間の位相差／誤差を示す検出器信号を供給する。チャージポンプ７２０は、検出された位相誤差に比例する誤差信号ＩＣＰを生成する。ループフィルタ７３０は、誤差信号をフィルタリングし、ＶＣＯ ７４０用の制御信号を供給する。ループフィルタ７３０は、フィードバック信号の位相および周波数が基準信号の位相および周波数にロックされるように制御信号を調整する。ループフィルタ７３０は、ＰＬＬ ７０２の所望の閉ループ応答を達成するために選択できる周波数応答を有する。例えば、ループフィルタ７３０の周波数応答をアクイジションおよびトラッキング性能と雑音性能との間のトレードオフに基づいて選択することができる。
【００３５】
ＬＯ発生器７６０は、図２のＬＯ発生器２７２にも使用することができる。ＬＯ発生器７６０は、ＶＣＯ ７４０からＶＣＯ信号を受け取り、ｆＬＯの周波数を有するＬＯ信号を供給することができる。ＬＯ発生器７６０はバッファ、分周器、直交スプリッタ（quadrature splitter）などを含むことができる。１つの設計では、ＶＣＯ ７４０はＬＯ周波数で動作し、その結果ｆＶＣＯ＝ｆＬＯになる。もう１つの設計では、ＶＣＯ ７４０はＬＯ周波数のＳ倍で動作し、その結果ｆＶＣＯ＝Ｓ・ｆＬＯになり、ＬＯ信号を得るためにＶＣＯ信号をＳの整数係数によって分周することができる。
【００３６】
電圧調整器７７０は、ＶＣＯ ７４０用の供給電圧ＶＤＤ＿ＶＣＯ、分周器７５０用の供給電圧ＶＤＤ＿ＤＩＶ及び、ことによっては周波数シンセサイザ７００内の他のブロック用の他の供給電圧を生成することができる。一般に、電圧調整器７７０は周波数シンセサイザ７００内の任意の個数のブロックのための任意の個数の供給電圧を生成することができる。
【００３７】
図７に、ＰＬＬ ７０２および周波数シンセサイザ７００の例の設計を示す。ＰＬＬ ７０２および周波数シンセサイザ７００は、異なるブロックおよび／または追加のブロックをも含むことができる。ＰＬＬ ７０２内の各ブロックをディジタル回路、アナログ回路、またはこれらの両方の組合せを用いて実装することができる。
【００３８】
図７に示された設計では、よい性能を達成するためにＰＬＬ ７０２または周波数シンセサイザ７００内の種々のブロックがそれぞれのコントロールに基づいて制御され得る。ＰＦＤ＿Ｃｏｎｔｒｏｌは、位相周波数検出器７１０の利得を調整することができる。ＣＰ＿Ｃｏｎｔｒｏｌは、チャージポンプ７２０内の電流源７２２ａおよび７２２ｂを経由する電流の量を調整することができ、これはチャージポンプの利得を変更する筈である。ＬＦ＿Ｃｏｎｔｒｏｌは、ループフィルタ７３０内の回路部品（例えば、キャパシタ）の値を調整することができる。ＶＣＯ＿Ｃｏｎｔｒｏｌは、所望の発振周波数を達成するためにＶＣＯ ７４０内の回路部品（例えば、キャパシタ）の値を調整することができる。Ｄｉｖｉｄｅｒ＿Ｃｏｎｔｒｏｌは、下で説明するように適切な全体的分周比（overall divider ratio）Ｒｋを選択し、分周器７５０の構成を決定することができる。ＶＲ＿Ｃｏｎｔｒｏｌは、ＶＣＯ ７４０、分周器７５０などの供給電圧を設定することができる。一般に、周波数シンセサイザは、周波数シンセサイザ内の１つまたは複数のブロックのための１つまたは複数の制御を含むことができる。周波数シンセサイザは、図７に示された制御のすべてまたはサブセットを含むことができ、図７に示されていない他の制御を含むこともできる。
【００３９】
図７に、それぞれ１つのＶＣＯ信号および１つのＬＯ信号を生成する周波数シンセサイザ７００およびＬＯ発生器７６０を示す。同時に複数のＶＣＯ信号および複数のＬＯ信号を生成するために、複数の周波数シンセサイザおよび複数のＬＯ発生器７６０を使用することができる。例えば、２つの周波数シンセサイザ７００を２つのＶＣＯ信号を生成するのに使用することができ、２つのＬＯ発生器を図４のスーパーヘテロダイン受信機２２０ｙのｆＲＸ＿ＬＯ１およびｆＲＸ＿ＬＯ２の周波数における２つのＬＯ信号を生成するのに使用することができる。ＬＯ周波数ｆＲＸ＿ＬＯ１は可変であって、選択された周波数チャネルに依存するが、ＬＯ周波数ｆＲＸ＿ＬＯ２は固定されたＩＦ周波数とすることができる。一般に、任意の個数の周波数シンセサイザ７００および任意の個数のＬＯ発生器７６０を任意の個数の受信機および送信機用とすることのできる任意の個数のＶＣＯ信号および任意の個数のＬＯ信号を生成するのに使用することができる。
【００４０】
周波数シンセサイザ７００は、１つまたは複数のシステムおよび１つまたは複数の周波数帯の複数の周波数チャネルをサポートすることができる。各周波数チャネルは、特定の中心周波数を有する。周波数シンセサイザ７００は正しいＶＣＯ信号を生成するように制御されることができ、この正しいＶＣＯ信号は選択された周波数チャネルについて正しい周波数で所望の特性を有するＬＯ信号を生成するのにＬＯ発生器７６０によって使用され得る。例えば、分周器７５０の正しい全体的分周比Ｒｋを選択することによって、所望のＶＣＯ周波数ｆＶＣＯを得ることができる。位相周波数検出器７１０の利得、チャージポンプ７２０内の電流の量、ループフィルタ７３０の素子値（component value）、分周器７５０の構成、および／またはＶＣＯ ７４０、分周器７５０などの供給電圧を制御することによって、所望のＶＣＯ信号特性を得ることができる。
【００４１】
無線装置１１０内のアナログ回路およびディジタル回路を互いにごく近接して実装することができる。例えば、アナログ回路およびディジタル回路を同一のプリント回路基板上または同一のＩＣダイ上に実装することができる。ＩＣ製造テクノロジが改善されるにつれて、主にディジタル回路に使用されてきた相補形金属酸化物半導体（ＣＭＯＳ）テクノロジを用いて高周波（例えば、ＧＨｚ）アナログ回路を設計することが可能になる可能性がある。次に、これは同一ＩＣダイ上でのアナログ回路およびディジタル回路の一体化を可能にすることができる。しかし、ディジタル回路は通常、多数のシュプールを生成し、このシュプールは基板および／または他の機構を介してアナログ回路に結合する可能性がある。シュプールはアナログ回路の性能に悪影響を及ぼし、アナログ回路をディジタル回路と一体化することを難しくする可能性がある。
【００４２】
シュプールは、無線装置１１０内において種々の方法で生成され得る。シュプールは、無線装置１１０内のクロックによって生成される場合があり、これらのクロックの高調波で現れ得る。例えば、クロックが発振器２６８からの基準信号に基づいて生成され、ｆｒｅｆの高調波でのシュプールが無線装置１１０内で優勢となり得る。より高い周波数のクロック（例えば、数百ＭＨｚ）がクロック発生器２７４によって生成され、ディジタルプロセッサ２５０および他のディジタル回路に供給され得る。次に、シュプールはこのより高い周波数のクロックの高調波に存在し得る。シュプールは、クロック高調波とＶＣＯ周波数との混合によっても生成され得る。例えば、シュプールはｆＶＣＯ±ｎ・ｆｒｅｆの周波数で生成され得、ここでｎは基準信号のｎ次高調波である。ＬＯ周波数がＶＣＯ周波数をＳの係数によって分周することによって得られる場合に、シュプールはｆＶＣＯ／Ｓ±ｎ・ｆｒｅｆの周波数で生成され得る。従って、無線装置１１０は特定の周波数（例えば、クロック高調波）の固定シュプールならびに選択された周波数チャネルのＶＣＯ周波数ｆＶＣＯおよびＰＬＬの構成に基づいて決定される周波数でのチャネル依存シュプールを有し得る。
【００４３】
周波数プログラミングは、ＶＣＯ信号について所望の周波数および特性を得るためのＰＬＬ内または周波数シンセサイザ内の種々のブロックのプログラミングを指す。ＰＬＬは、複数の周波数チャネルをサポートすることができ、すべてのサポートされる周波数チャネルについて類似する形でプログラムされ得る。例えば、分周器７５０内の全体的分周比Ｒｋを除いて、すべての周波数チャネルがＰＬＬ内のすべてのブロックについて同一の設定を有することができる。この場合、サポートされる周波数チャネルの一部ではシュプールに起因する過度の劣化が観察されるが、他の周波数チャネルではシュプール問題を経験しないであろう。
【００４４】
一態様では、シュプールを回避するか、無線装置１１０によってサポートされる周波数チャネルのシュプールレベルを下げるのに、不均一周波数プログラミングを使用することができる。不均一周波数プログラミングを用いると、異なる設定を異なる周波数チャネルのＰＬＬまたは周波数シンセサイザ内のブロックについて使用することができる。シュプールに起因する悪影響を軽減でき、周波数チャネルについてよい性能を達成できるように、周波数チャネル毎にＰＬＬ設定の適切なセットを選択することができる。不均一周波数プログラミングは、次の１つまたは複数を用いてサポートすることができる。
【００４５】
・異なるＰＬＬループ帯域幅の使用、  
・異なる周波数方程式の使用、  
・異なる分周方式の使用、  
・スーパーヘテロダインアーキテクチャの高側または低側の注入の使用、および  
・周波数シンセサイザ内のブロックについての異なる供給電圧の使用。
【００４６】
一態様では、ＰＬＬループ帯域幅をシュプールの周波数位置に基づいて調整することができる。ＰＬＬは、公称ループ帯域幅（例えば、数十ＫＨｚ）を有するように設計され得、この公称ループ帯域幅はアクイジションおよびトラッキング性能と雑音性能との間のトレードオフに基づいて選択され得る。シュプールがループ帯域幅の外に配置される場合には、ループ帯域幅を減らして、シュプールの一層の廃棄を達成することができる。より小さいループ帯域幅は、位相周波数検出器７１０の利得を下げること、チャージポンプ７２０からの電流の量を減らすこと、ループフィルタ７３０のより大きいキャパシタ値を選択することなどによって得ることができる。逆に、ループ帯域幅内に位置するシュプールがＶＣＯへのシュプールの直接結合に起因する場合には、ループ帯域幅を増やしてＶＣＯでの帯域内利得を下げることができ、これはシュプールレベルを下げることができる。より大きいループ帯域幅は、位相周波数検出器７１０の利得を上げること、チャージポンプ７２０からの電流の量を増やすこと、ループフィルタ７３０のより小さいキャパシタ値を選択することなどによって得ることができる。周波数チャネルに関して観察されたシュプールに基づき、周波数チャネル毎に適切なループ帯域幅を選択することができる。ループ帯域幅選択は、コンピュータシミュレーション、経験的測定、フィールドテスティングなどに基づくものとすることができる。
【００４７】
図８に、図７のＰＬＬ ７０２内の分周器７５０の設計である、分周器７５０ａのブロック図を示す。分周器７５０ａ内では、整数分周器８１０が１、２、３、４、などと等しいＭｋの整数係数によってＶＣＯ信号を分周することができる。分周比Ｍｋは、周波数チャネルｋについて設定可能であり、Ｍ＿Ｓｅｌｅｃｔ信号によって選択され得る。スイッチ８１２は、分周器８１０の出力をＰ＿Ｓｅｌｅｃｔ信号に基づいてＴ個のプリスケーラ８１４ａ乃至８１４ｔのうちの１つに送る。ここで、Ｔは任意の整数値とされ得る。各プリスケーラ８１４は、任意の所定の瞬間に分周器８１０からの信号をＵまたはＵ＋１のいずれかの係数によって分周することができる。ここで、Ｕは異なるプリスケーラについて異なるものとすることができる。例えば、プリスケーラ８１４ａは８または９（Ｕ１＝８について）のいずれかによって分周をすることができ、以下同様にして、プリスケーラ８１４ｔは４または５（ＵＴ＝４について）のいずれかによって分周をすることができる。マルチプレクサ（Ｍｕｘ）８１６は、選択されたプリスケーラ８１４からのプリスケーリングされた信号を分数Ｎ分周器８１８に送る。プリスケーリングされた信号は、ｆＰＲＥの周波数を有し、このｆＰＲＥは、
【数１】
2010539809.tif 000003
【００４８】
と表すことができ、ここで、  
ｆＶＣＯは、ＶＣＯ信号の周波数であり、  
Ｐｋは、周波数チャネルｋについて選択されたプリスケーラのプリスケーラ比である。
【００４９】
ＶＣＯ信号をＬＯ発生器７６０により使用して、ＬＯ周波数のＬＯ信号を生成することができる。ＬＯ周波数ｆＬＯは、周波数チャネルｋの中心周波数に依存し、図３のＬＯ信号ＶＲＸ＿ＬＯのｆＲＸ＿ＬＯ、図４のＬＯ信号ＶＲＸ＿ＬＯ１のｆＲＸ＿ＬＯ１、図５のＬＯ信号ＶＴＸ＿ＬＯのｆＴＸ＿ＬＯ、または図６のＬＯ信号ＶＴＸ＿ＬＯ２のｆＴＸ＿ＬＯ２に対応することができる。
【００５０】
プリスケーラ比Ｐｋは、選択されたプリスケーラの分周比ＵｋとＵｋ＋１、および各分周比が使用される回数のパーセンテージに依存する。例えば、周波数チャネルｋの選択されたプリスケーラがＷサイクルのうちのＶについてＵｋ＋１によって分周し、残りのＷ−ＶサイクルについてＵｋによって分周する場合に、プリスケーラ比はＰｋ＝Ｕｋ＋Ｖ／Ｗによって与えられ得る。ＶおよびＷは、固定値とすることができ、あるいは、周波数チャネルｋに依存するものとすることができる。
【００５１】
分周器８１８は、マルチプレクサ８１６からのプリスケーリングされた信号をシグマ−デルタ変調器８３０からの分周器選択信号に基づいてＮＬまたはＮＨのいずれかの整数係数によって分周する。分周器８１８は、フィードバック信号の所望の周波数を得るために、ある時にはＮＬ、残りの時にはＮＨによって分周することができる。
【００５２】
ある設計では、分周器制御ユニット８３２は選択された周波数チャネルを受け取り、分周器８１８の分周比Ｎｋを判定し、この分周比Ｎｋは、
【数２】
2010539809.tif 000004
【００５３】
と表すことができる。
【００５４】
周波数チャネルｋの分周比Ｎｋは、ＮＬとＮＨの整数値の間で変化する、すなわち、ＮＬ≦Ｎｋ≦ＮＨである。分周比Ｎｋは、ＮＬおよびＮＨに基づいて、次のように表すことができる。
【数３】
2010539809.tif 000005
【００５５】
ここで、ＦｒａｃｋはＮＨを使用すべき回数のパーセンテージ、（１−Ｆｒａｃｋ）はＮＬを使用すべき回数のパーセンテージである。Ｆｒａｃｋは、次のように決定することができる。
【数４】
2010539809.tif 000006
【００５６】
例えば、Ｎｋ＝ＮＨの場合には、Ｆｒａｃｋ＝１であり、ＮＨが常に使用され、ＮＬは使用されない。
【００５７】
分周器制御ユニット８３２は、周波数チャネルｋの値ＮＬおよびＮＨを示すＮ＿Ｓｅｌｅｃｔ信号を受け取ることができる。ユニット８３２は、式（４）に示されているようにＦｒａｃｋを決定し、その後、ＦｒａｃｋをＬビットに量子化することができる。Ｌは所望の周波数分解能を達成するために選択することができ、１０、１６、２３などと等しくすることができる。ユニット８３２は、シグマ−デルタ変調器８３０にＬビットのＦｒａｃｋを供給する。
【００５８】
シグマ−デルタ変調器８３０は、ＬビットのＦｒａｃｋを受け取り、分周器８１８の分周器選択信号を生成する。１つの設計では、分周器選択信号は分周器８１８にＮＬまたはＮＨのいずれかによって分周するように指示する１ビットコントロールである。例えば、分周器選択信号の論理ロウ（「０」）は、ＮＬによる分周に対応することができ、分周器選択信号の論理ハイ（「１」）は、ＮＨによる分周に対応することができる。分周器選択信号の１のパーセンテージは、Ｆｒａｃｋによって決定される。しかし、１は量子化雑音がより高い周波数にシフトされ、よい位相雑音特性がＶＣＯ ７４０からのＶＣＯ信号について達成される方法で分周器選択信号上において分配される。図８は、分周器８１８についてＮＬとＮＨとの間で選択するためのシグマ−デルタ変調器８３０の使用を示している。分周器８１８についてのＮＬまたはＮＨの選択は、他の方法でも行い得る。
【００５９】
図９に、図７のＰＬＬ ７０２内の分周器７５０のもう１つの設計である、分周器７５０ｂのブロック図を示す。分周器７５０ｂ内では、スイッチ９１０がＶＣＯ信号をＴ個の分周器チェーン９１２ａ乃至９１２ｔのうちの１つに送る。各分周器チェーン９１２は、Ｍの整数値によって分周をする整数分周器９１４、ＵまたはＵ＋１のいずれかによって分周をするプリスケーラ９１６、およびＮＬまたはＮＨのいずれかによって分周をする分数Ｎ分周器９１８を含む。マルチプレクサ９２０は、選択された分周器チェーン９１２からの信号をフィードバック信号として供給する。
【００６０】
１つの設計では、周波数チャネルｋのプリスケーラ比Ｐｋおよび分周比Ｎｋを次のように一緒に決定することができる。
【数５】
2010539809.tif 000007
【００６１】
ここで、Ｚｋは周波数チャネルｋについて選択された分周器チェーン９１２内のプリスケーラ９１６と分数Ｎ分周器９１８の両方の組み合わされた分周比である。ＺｋはＺＬとＺＨとの整数値の間の範囲にわたることができる、すなわちＺＬ≦Ｚｋ≦ＺＨである。ＺＬをＺＬ＝ＮＬ＋Ｕｋと定義することができ、ＺＨをＺＨ＝ＮＨ＋Ｕｋ＋１と定義することができる。ＺＬおよびＺＨを他の形で定義することもできる。
【００６２】
組み合わされた分周比Ｚｋを次のようにＺＬおよびＺＨに基づいて表すことができる。
【数６】
2010539809.tif 000008
【００６３】
ここで、ＦｒａｃｋはＺＨを使用すべき回数のパーセンテージであり、（１−Ｆｒａｃｋ）はＺＬを使用すべき回数のパーセンテージである。Ｆｒａｃｋは、次のように決定され得る。
【数７】
2010539809.tif 000009
【００６４】
分周器制御ユニット９３２は、周波数チャネルおよび周波数チャネルｋのＮ＿Ｓｅｌｅｃｔ信号を受け取ることができる。ユニット９３２は、式（７）に示されているようにＦｒａｃｋを決定し、その後、ＦｒａｃｋをＬビットに量子化することができる。シグマ−デルタ変調器９３０は、ＬビットのＦｒａｃｋをユニット９３０から受け取り、選択された分周器チェーン９１２内のプリスケーラ９１６と分周器９１８の両方のための分周器選択信号を生成することができる。
【００６５】
図８および９は、分周器７５０の２つの例の設計を示す。一般に、分周器７５０を固定されたまたは構成可能（configurable）な整数分周器、固定されたまたは構成可能なプリスケーラ、および固定されたまたは構成可能な分数Ｎ分周器を有する種々の設計を用いて実装することができる。各周波数チャネルの整数分周器、プリスケーラ、および分数Ｎ分周器を一緒にまたは別々に制御することができる。
【００６６】
もう１つの態様では、複数の周波数方程式をサポートされる周波数チャネル毎に定義することができる。式（１）乃至（３）を組み合わせることによって、周波数方程式を
【数８】
2010539809.tif 000010
【００６７】
と表すことができる。
【００６８】
同様に、式（５）および（６）を組み合わせることによって、周波数方程式を
【数９】
2010539809.tif 000011
【００６９】
と表すことができる。
【００７０】
複数の周波数方程式を式（８）のＮＬおよびＮＨの値の異なるセット、または式（９）のＺＬおよびＺＨの値の異なるセットを有する周波数チャネル毎に定義することができる。１つの設計では、
【数１０】
2010539809.tif 000012
【００７１】
の場合に、第１の周波数方程式をＮＬ＝ＮおよびＮＨ＝Ｎ＋１を用いて定義することができ、第２の周波数方程式をＮＬ＝ＮおよびＮＨ＝Ｎ＋２を用いて定義することができ、第３の周波数方程式をＮＬ＝Ｎ−１およびＮＨ＝Ｎ＋１を用いて定義することができ、第４の周波数方程式をＮＬ＝Ｎ−１およびＮＨ＝Ｎ＋２を用いて定義することなどができる。一例として、図８の設計についてＮｋ＝８．７である場合に、Ｎ＝８であり、第１の周波数方程式を８または９のいずれかによって分周する分周器８１８を用いて定義することができ、第２の周波数方程式を８または１０のいずれかによって分周する分周器８１８を用いて定義することができ、第３の周波数方程式を７または１０のいずれかによって分周する分周器８１８を用いて定義することができ、第４の周波数方程式を７または１１のいずれかによって分周する分周器８１８を用いて定義することができる。一般に、異なる周波数方程式をＮＬとＮＨとの間のデルタすなわちΔ＝ＮＨ−ＮＬの異なる値について定義することができ、ここで、Δは上の設計では１、２、３、および４と等しい。周波数方程式毎に、ＮＬによって分周すべき回数のパーセンテージおよびＮＨによって分周すべき回数のパーセンテージは、Ｆｒａｃｋによって決定され、このＦｒａｃｋは分周比Ｎｋ、ならびにＮＬおよびＮＨの値に依存する。選択された周波数チャネルのＮＬおよびＮＨの値をユニット８３２および分周器８１８に供給できるＮ＿Ｓｅｌｅｃｔ信号によって示すことができる。
【００７２】
もう１つの設計では、シグマ−デルタ変調器８３０または９３０は、分周器制御ユニット８３２または９３２からＬビットのＦｒａｃｋを受け取り、分周器８１８または９１８のためのＱビットの分周器選択信号を生成し、ここで、Ｑは１より大きい任意の整数値とすることができる。分周器８１８または９１８は、Ｑビットの分周器選択信号によって決定される、２Ｑ個の可能な整数分周比のうちの１つによって、プリスケーリングされた信号を分周することができる。異なる周波数方程式をＱの異なる値について定義することができる。異なる周波数方程式を他の形で定義することもできる。
【００７３】
異なる周波数方程式は、シュプールに関して異なる性能をもたらし得る。１つの設計では、１つの周波数方程式（例えば、Δ＝１を有する）をデフォルト周波数方程式として使用することができる。デフォルト周波数方程式に関するシュプールに起因する過度の劣化を観察する周波数チャネル毎に、残りの周波数方程式のそれぞれを評価することができる。シュプールおよびことによっては他の要因に関して、最良の性能をもたらす周波数方程式を周波数チャネルについて選択することができる。性能はＳＮＲ、エラーベクトル振幅（ＥＶＭ）、ビット誤り率（ＢＥＲ）、パケット誤り率（ＰＥＲ）、その他などの種々のメトリックスによって定量化され得る。ＥＶＭは、送信ＬＯ信号内の誤りに起因する変調シンボルの振幅および位相誤差の尺度であり、ここでこれらの誤差はシュプールに起因し得る。一般に、ＬＯ信号の位相雑音はあるオフセット周波数でのΔのより大きい値についてより悪くなる場合があるが、シュプールの軽減に起因する改善は、位相雑音の劣化を相殺する以上のことを行うことができ、性能を改善することができる。
【００７４】
もう１つの態様では、異なる分周方式が使用可能であり、適切な分周方式を周波数チャネル毎に選択することが可能である。分周方式は、ＶＣＯ信号を分周するのに使用される分周比毎の特定の値を含む。図８および９に示された設計では、周波数チャネルｋの全体的分周比Ｒｋを
【数１１】
2010539809.tif 000013
【００７５】
と表すことができる。
【００７６】
分周方式は、分周比Ｍｋ、ＰｋおよびＮｋのそれぞれの特定の値により定義される。Ｒｋの所定の値について、Ｍｋ、ＰｋおよびＮｋの値の異なるセットを用いて異なる分周方式を定義することができる。１つの設計では、Ｔ個の異なる分周方式をＴ個のプリスケーラ比Ｐ１乃至ＰＴを用いて定義することができる。Ｎｋをプリスケーラ比毎に、それ相応に変更することができる。一例として、所定のＶＣＯ周波数ｆＶＣＯについて、８／９および４／５のプリスケーラ比は異なるプリスケーリングされた信号周波数ｆＰＲＥをもたらし、このｆＰＲＥは異なる分周比Ｎｋをもたらす。もう１つの設計では、異なる整数分周比Ｍｋを用いて異なる分周方式を定義することができる。Ｍｋの大きい値は、選択されたプリスケーラがより低い周波数で動作することをもたらし、これは電力を節約することができる。一般に、異なる分周方式をＰｋの異なる値および／またはＭｋの異なる値を用いて周波数チャネルｋについて定義することができる。ＰｋおよびＭｋの値のセット毎に、周波数チャネルｋの所望の全体的分周比Ｒｋを得るためにＮｋを選択することができる。
【００７７】
異なる分周方式は、異なるシュプールおよび／または異なるシュプールレベルを有し得る。周波数チャネルのよい性能を達成するために、周波数チャネル毎に分周方式を選択することができる。１つの設計では、デフォルト値のセットをＰｋおよびＭｋに使用することができる。ＰｋおよびＭｋの値のデフォルトセットを有するシュプールに起因する過度の劣化を観察する周波数チャネル毎に、ＰｋおよびＭｋの値の他の可能なセットを評価することができる。よい性能（例えば、最低のシュプールレベル）をもたらす分周方式を周波数チャネルのために選択することができる。
【００７８】
もう１つの態様では、高側ＬＯ信号または低側ＬＯ信号のいずれかをシュプールを回避するためにスーパーヘテロダイン受信機または送信機での周波数変換に使用することができる。図４のスーパーヘテロダイン受信機２２０ｙについて、受信される信号をミキサ４１４によってＬＯ信号ＶＲＸ＿ＬＯ１を用いてＲＦからＩＦにダウンコンバートすることができる。このＬＯ信号の周波数は、高側注入の場合には選択された周波数チャネルより高く、低側注入の場合には選択された周波数チャネルより低い。高側注入および低側注入のＬＯ信号の周波数は、
【数１２】
2010539809.tif 000014
【００７９】
と表すことができ、ここで、  
ｆＩＦはＩＦ周波数であり、  
ｆＣＨは選択された周波数チャネルの中心周波数であり、  
ｆＲＸ＿ＬＯ１＿ＨＳは高側注入のＬＯ周波数であり、  
ｆＲＸ＿ＬＯ１＿ＬＳは低側注入のＬＯ周波数である。
【００８０】
高側および低側のＬＯ信号は、全体的分周比Ｒｋの適当な値を選択することによって得られる。周波数チャネル毎に、高側ＬＯ信号に関するシュプールレベルを低側ＬＯ信号に関するシュプールレベルと比較することができる。より低いシュプールレベルを有するＬＯ信号を周波数チャネルのために選択することができる。
【００８１】
もう１つの態様では、シュプールの悪影響を軽減するために、異なる供給電圧をＶＣＯ ７４０、分周器７５０、および／またはＰＬＬ７００内の他のブロックに使用することができる。ＶＣＯ ７４０は、複数の可能な供給電圧のうちの１つ、例えば１．８ボルト（Ｖ）、２．０Ｖ、２．２Ｖなどで動作することができる。低い供給電圧は、電力を節約することができるが、高い供給電圧は、ＶＣＯ信号振幅を増やすことができる。システムは、ある種のオフセット周波数、例えばＧＳＭの場合には４００ＫＨｚおよび１．８ＭＨｚで厳密な仕様を有する場合がある。大きいシュプールがＰＬＬループ帯域幅から離れて位置する時に、ＰＬＬループ帯域幅を調整することが限界の影響を有することがある。その代わりに、ＶＣＯ ７４０の供給電圧を高めることがＶＣＯ信号振幅を増やすことができ、これがＶＣＯ信号の遷移エッジを鋭くし、シュプールに起因する影響を減らすことができる。より高いＶＣＯ供給電圧は必要な時、例えば十分に高いレベルのシュプールが厳密な仕様を有する周波数範囲内に位置する時に、使用することができる。より低いＶＣＯ供給電圧を他のシナリオで使用して、電力を節約することができる。一般に、ＶＣＯ信号振幅はＶＣＯ供給電圧、ＶＣＯバイアス電流、固定されたＶＣＯ供給電圧に関するバイアス抵抗、その他、またはその任意の組合せを調整することによって調整し得る。
【００８２】
分周器７５０のすべてまたは一部を複数の可能な供給電圧のうちの１つで動作させることができる。整数分周器、プリスケーラ、分数Ｎ分周器、シグマ−デルタ変調器および／または分周器制御ユニットが大きいシュプールの源である場合がある。大きいシュプールの源である可能性があるブロック毎に、そのブロックの供給電圧を制御して、そのブロックによって生成されるシュプールの大きさを減らすことができる。可変供給電圧を整数分周器、プリスケーラ、分数Ｎ分周器、シグマ−デルタ変調器、分周器制御ユニット、またはその任意の組合せに印加することができる。可変供給電圧は、選択された周波数チャネルに依存し得る。
【００８３】
図１０に、不均一周波数プログラミングを用いる、異なる周波数チャネルに対するＰＬＬ設定のテーブル１０００の設計を示す。テーブル１０００を無線装置１１０によってサポートされるすべての周波数チャネルについて生成することができ、テーブル１０００はサポートされる周波数チャネル毎に１つのエントリまたは行を含むことができる。周波数チャネルは、特定のシステム内のダウンリンク（受信機）またはアップリンク（送信機）に対するものとすることができる。テーブル１０００は、ＰＬＬ内の回路ブロックならびにＰＬＬの外部の回路ブロック（例えば、ＶＣＯ）用とすることができる、異なるＰＬＬ設定の列をも含むことができる。図１０に示された設計では、テーブル１００はＰＬＬループ帯域幅の１つの列、周波数方程式の１つの列（例えば、テーブル１０００に示された分周比ＮＬおよびＮＨまたは分周比ＺＬおよびＺＨ）、分周方式の１つの列（例えば、分周比ＭｋおよびＰｋ）、低側注入または高側注入を示す１つの列、全体的分周比Ｒｋの１つの列、およびＶＣＯ供給電圧の１つの列を含む。周波数チャネル毎に当該周波数チャネルのよい性能を達成するために、適切な値を各列のパラメータ（１つまたは複数）について選択することができる。周波数チャネル毎に、所望のＰＬＬループ帯域幅を位相周波数検出器７１０のＰＦＤ＿Ｃｏｎｔｒｏｌ、チャージポンプ７２０のＣＰ＿Ｃｏｎｔｒｏｌ、および／またはループフィルタ７３０のＬＦ＿Ｃｏｎｔｒｏｌを介して得ることができる。
【００８４】
周波数チャネル毎に所望のＬＯ周波数を得るために、全体的分周比Ｒｋを選択することができる。スーパーヘテロダイン受信機またはスーパーヘテロダイン送信機について、高側注入または低側注入のどちらが周波数チャネルについて選択されるかに基づいてＲｋを選択することもできる。周波数チャネル毎に、分周比ＮＬおよびＮＨ（またはＺＬおよびＺＨ）をすべての使用可能な周波数方程式の中からその周波数チャネルのために選択された周波数方程式に基づいて得ることができる。周波数チャネル毎に、分周比Ｐｋおよび／またはＭｋをすべての使用可能な分周方式の中からその周波数チャネルのために選択された分周方式に基づいて得ることができる。ＮＬ、ＮＨ、ＰｋおよびＭｋの値をＤｉｖｉｄｅｒ＿Ｃｏｎｔｒｏｌを介して分周器７５０に供給することができる。周波数チャネル毎に、ＶＣＯ供給電圧を複数の使用可能な供給電圧の中から選択することができ、選択された供給電圧をＶＲ＿Ｃｏｎｔｒｏｌによって示すことができる。
【００８５】
図１０は、不均一周波数プログラミングを用いる異なる周波数チャネルに対するＰＬＬ設定を格納するのに使用できるテーブルの設計を示す。低側注入列または高側注入列および全体的分周比列は、これらの列の情報を分周比ＮＬ、ＮＨ、ＰｋおよびＭｋに組み込むことができるので、省略することができる。一般に、サポートされる周波数チャネルに対するＰＬＬ設定を任意のデータ構造を使用して格納することができる。
【００８６】
図１１に、発振器信号、例えばＶＣＯ信号を生成するプロセス１１００の設計を示す。周波数チャネルを複数の周波数チャネルの中から選択することができる（ブロック１１１２）。各周波数チャネルは、全体的分周比Ｒｋに加えて少なくとも１つのパラメータに対するＰＬＬ設定のセットに関連するものとすることができ、全体的分周比Ｒｋは異なる周波数チャネルについて固有に異なるものとすることができる。複数の周波数チャネルをＰＬＬ設定の少なくとも２つの異なるセットに関連付けることができる。選択された周波数チャネルに対するＰＬＬ設定のセットを例えば図１０のテーブル１０００などの周波数プログラミングテーブルから決定することができる（ブロック１１１４）。選択された周波数チャネルの発振器信号をＰＬＬ設定のセットに基づいて生成することができる（ブロック１１１６）。
【００８７】
選択された周波数チャネルに対するＰＬＬ設定のセットは、複数のＰＬＬループ帯域幅のうちの１つを選択する設定を含み得る。選択された周波数チャネルに対するＰＬＬループ帯域幅を達成するために、ＰＬＬ内の１つまたは複数のブロックがセットされ得る。選択された周波数チャネルに対するＰＬＬ設定のセットは、チャージポンプ電流の複数の異なる量のうちの１つを選択する設定を含むことができる。ＶＣＯの制御信号は、選択された周波数チャネルのチャージポンプ電流の量に基づいて生成され得る。
【００８８】
選択された周波数チャネルに対するＰＬＬ設定のセットは、複数の周波数方程式のうちの１つを選択する分周器設定を含むことができ、この周波数方程式のうちの１つは高い分周比および低い分周比の異なるセットに関連し得る。分周器は、選択された周波数チャネルの高い分周比および低い分周比のセットを用いてプログラムされ得る。次に、分周器は高い分周比および低い分周比の当該セットに基づいて発振器信号を分周することができる。
【００８９】
選択された周波数チャネルに対するＰＬＬ設定のセットは、発振器信号を分周する複数の分周方式のうちの１つを選択する分周設定を含むことができる。複数の分周方式を異なるプリスケーラ比、異なる整数分周比などに関連付けることができる。発振器信号を選択された周波数チャネルのプリスケーラ比および／または整数分周比に基づいて分周することができる。
【００９０】
選択された周波数チャネルに対するＰＬＬ設定のセットは、ＬＯ信号の高側注入または低側注入のいずれかを選択する設定を含むことができ、このＬＯ信号は発振器信号に基づいて生成され得る。ＬＯ信号は、高側注入が選択される場合には選択された周波数チャネルより高い周波数で生成され、低側注入が選択される場合には選択された周波数チャネルより低い周波数で生成され得る。
【００９１】
選択された周波数チャネルに対するＰＬＬ設定のセットは、ＶＣＯ、分周器などの回路ブロックの複数の供給電圧のうちの１つを選択する設定を含むことができる。選択された周波数チャネルについて選択された供給電圧を生成し、回路ブロックに印加することができる。選択された周波数チャネルに対するＰＬＬ設定のセットは、回路ブロックのバイアス電流制御に対する設定を含むことができる。選択された周波数チャネルについて選択されたバイアス電流制御を生成し、回路ブロックに印加することができる。一般に、ＰＬＬ設定は、回路ブロックに関して複数のバイアス方式のうちの１つを選択することができ、複数のバイアス方式は、回路ブロックの異なる供給電圧、異なるバイアス電流、またはその両方に対応することができる。
【００９２】
複数の周波数チャネルに対するＰＬＬ設定のセットは、異なるおよび／または追加のパラメータに対するものとすることもできる。
【００９３】
本明細書で説明した発振器信号生成技法は、ある種の利益をもたらすことができる。第１に、異なる周波数チャネルに異なるＰＬＬ設定を使用することによって、シュプールに起因する悪影響を軽減することができ、周波数チャネル毎によい性能を達成することができる。第２に、これらの技法はコスト、サイズなどを減らすことができる、同一ＩＣダイ上でのディジタル回路およびアナログ回路の一体化を可能にすることができる。
【００９４】
もう１つの態様では、不均一周波数プログラミングを使用して、無線装置１１０内の送信機および／または受信機の動作を制御することができる。送信機または受信機の種々のパラメータを選択された周波数チャネルに基づいて制御することができる。受信機については、ＬＮＡバイアス電流および／または利得、ミキサバイアス電流および／または利得、フィルタ帯域幅、ＶＧＡ利得などを選択された周波数チャネルに基づいて設定することができる。送信機については、ＰＡバイアス電流および／または利得、ミキサバイアス電流および／または利得、フィルタ帯域幅、ＶＧＡ利得などを選択された周波数チャネルに基づいて設定することができる。不均一周波数プログラミングを用いると、異なる設定を異なる周波数チャネルの送信機または受信機内のブロックについて使用することができる。トランシーバ設定の適切なセットを周波数チャネルのよい性能を達成するために周波数チャネル毎に選択することができる。従って、各周波数チャネルは全体的分周比Ｒｋに加えて、送信機または受信機の少なくとも１つのパラメータに対するトランシーバ設定のセットに関連するものとすることができる。異なる周波数チャネルをトランシーバ設定の少なくとも２つの異なるセットに関連付けることができる。選択された周波数チャネルに対するトランシーバ設定のセットを送信機または受信機に適用することができる。
【００９５】
本明細書で説明した技法は、種々の手段によって実施することができる。例えば、これらの技法をハードウェア、ファームウェア、ソフトウェア、またはこれらの組合せで実施することができる。ハードウェア実施態様について、本明細書で説明した種々のブロックを１つまたは複数のＡＳＩＣ、ＤＳＰ、ディジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、本明細書に記載の機能を実行するように設計された他の電子ユニット、コンピュータ、またはこれらの組合せで実装することができる。
【００９６】
本明細書で説明した回路（例えば、周波数シンセサイザ２７０および７００、ＬＯ発生器２７２および７６０、ＰＬＬ ７０２など）をＩＣ、ＲＦＩＣ、混合信号ＩＣ、ＡＳＩＣ、プリント回路基板（ＰＣＢ）などで実装することができる。回路をＣＭＯＳ、ＮチャネルＭＯＳ（Ｎ−ＭＯＳ）、ＰチャネルＭＯＳ（Ｐ−ＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）、その他などの種々のＩＣプロセステクノロジを用いて製造することができる。
【００９７】
本技法のある種の態様を本明細書に記載の機能を実行するファームウェアおよび／またはソフトウェア（例えば、手順、関数その他などのモジュール）を用いて実装することができる。ファームウェアおよび／またはソフトウェア命令／コードをメモリ（例えば、図２のメモリ２６２）に格納し、プロセッサ（例えば、プロセッサ２６０）によって実行することができる。メモリは、プロセッサ内またはプロセッサの外部に実装され得る。ファームウェアおよび／またはソフトウェア命令／コードをランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、電気的消去可能ＰＲＯＭ（ＥＰＲＯＭ）、フラッシュメモリ、フロッピ（登録商標）ディスク、コンパクトディスク（ＣＤ）、ディジタル多用途ディスク（ＤＶＤ）、磁気または光学のデータストレージデバイスその他など、コンピュータ／プロセッサ可読媒体に格納することもできる。命令／コードを１つまたは複数のプロセッサによって実行可能とすることができ、命令／コードはプロセッサ（１つまたは複数）に本明細書に記載の機能性のある種の態様を実行させることができる。
【００９８】
本明細書に記載の技法を実施する装置は、独立型のデバイスまたはより大きいデバイスの一部とすることができる。デバイスは、(i)独立型ＩＣ、(ii)データおよび／または命令を格納するためのメモリＩＣを含むことができる１つまたは複数のＩＣのセット、(iii)ＲＦ受信機（ＲＦＲ）またはＲＦ送信機／受信機（ＲＴＲ）などのＲＦＩＣ、(iv)移動局モデム（ＭＳＭ）などのＡＳＩＣ、(v)他のデバイス内に組み込まれ得るモジュール、(vi)受信機、携帯電話機、無線装置、ハンドセット、またはモバイルユニット、(vii)その他とすることができる。
【００９９】
本開示の前の説明は、当業者が本開示を作り、または使用することを可能にするために提供されたものである。本開示の種々の変更は、当業者に容易に明白になり、本明細書で定義される包括的原理は、本開示の範囲から逸脱せずに他の変形形態に適用することができる。従って、本開示は本明細書で説明された例および設計に限定することを意図されているのではなく、本明細書で開示される原理および新規の特徴と一貫する最も広い範囲に従わなければならない。
【図１】
2010539809.tif 000015
【図２】
2010539809.tif 000016
【図３】
2010539809.tif 000017
【図４】
2010539809.tif 000018
【図５】
2010539809.tif 000019
【図６】
2010539809.tif 000020
【図７】
2010539809.tif 000021
【図８】
2010539809.tif 000022
【図９】
2010539809.tif 000023
【図１０】
2010539809.tif 000024
【図１１】
2010539809.tif 000025
【国際調査報告】
2010539809.tif 000026
2010539809.tif 000027
2010539809.tif 000028